(57)【要約】【課題】本発明は、摘み部がなく金属クリップ着脱具の先端部が挿入できる開口部を有する金属クリップの簡易でコンパクトに収納できる着脱具を提供することを課題とする。【解決手段】全体が一直線になるように、細長い略四角形の板状の弾性素材の両端に、折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭くなっている構成とした。【選択図】図３
2015071307.tif 000002
【特許請求の範囲】
【請求項１】
全体が一直線になるように、細長い略四角形の板状の弾性素材の両端に、折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭い、金属クリップ着脱具。
【請求項２】
細長い略四角形の板状の弾性素材二つが重ねられ、その一方の端部分が固着されており、他の端には折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭い、金属クリップ着脱具。
【請求項３】
細長い略四角形の板状の弾性素材の両端に、折れにくい素材でできた板状の部材がそれぞれ回転自在に繋止されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭い、金属クリップ着脱具。
【請求項４】
細長い略四角形の板状の弾性素材二つが重ねられ、その一方の端部分が回転自在に繋止されており、他の端には折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭い、金属クリップ着脱具。
【請求項５】
板状の部材の先端の幅が若干狭くなっている部分に横方向に微小な溝が形成されていることを特徴とする請求項1乃至４のいずれかに記載された金属クリップ着脱具。
【請求項６】
板状の金属片の先端の幅が若干狭くなっている部分がゴム・シリコーン等で覆われていることを特徴とする請求項1乃至４のいずれかに記載された金属クリップ着脱具。
【請求項７】
板状の金属片の先端の幅が若干狭くなっている部分の先端が湾曲していることを特徴とする請求項1乃至４のいずれかに記載された金属クリップ着脱具。
【発明の詳細な説明】
【技術分野】
【０００１】
この発明は、金属クリップ着脱具の先端部が挿入できる開口部を有する金属クリップの着脱具に関する。
【背景技術】
【０００２】
紙片などを複数枚束ねた状態に保持するためのクリップとして、略四角形の金属板をその中間部で曲折することによって互いに対向する両端部同士を相互に近接させる向きの弾発力が常時作用するようにするとともに、挟持部を開くための摘み部が付属している金属クリップが知られており、ダブルクリップと呼ばれている。
また、金属線材のみでできているほぼ同様のものが知られている。
【０００３】
本願出願人は、上記クリップから摘み部を取り除き、クリップ着脱具の先端部が挿入できる開口部を有する金属クリップ（図１、図２など）を考案した。
【０００４】
これらの金属クリップのための簡易な構造で使いやすく、コンパクトに収納できる着脱具が求められるところである。
【発明の概要】
【発明が解決しようとする課題】
【０００５】
図１及び図２のような金属クリップを容易に着脱でき、しかも構造が簡易であり、コンパクトに収納できる着脱具を提供することを課題とする。
【課題を解決するための手段】
【０００６】
上記の課題を解決するために、本発明（請求項１）の金属クリップ着脱具は、全体が一直線になるように、細長い略四角形の板状の弾性素材の両端に、折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭くなっている構成とした。
【０００７】
本発明（請求項２）の金属クリップ着脱具は、細長い略四角形の板状の弾性素材二つが重ねられ、その一方の端部分が固着されており、他の端には折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭くなっている構成とした。
【０００８】
本発明（請求項３）の金属クリップ着脱具は、細長い略四角形の板状の弾性素材の両端に、折れにくい素材でできた板状の部材がそれぞれ回転自在に繋止されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭くなっている構成とした。
【０００９】
本発明（請求項４）の金属クリップ着脱具は、細長い略四角形の板状の弾性素材二つが重ねられ、その一方の端部分が回転自在に繋止されており、他の端には折れにくい素材でできた板状の部材がそれぞれ固定されており、当該板状の部材の他の先端は幅が若干狭くなっており、その板状の部材の幅は金属クリップに設けられた開口部あるいは金属クリップの挟持部に形成された開口部の幅より広く、その先端の幅が若干狭くなっている部分の幅は前記開口部の幅より狭くなっている構成とした。
【００１０】
本発明（請求項５）の金属クリップ着脱具は、板状の部材の先端の幅が若干狭くなっている部分に横方向に微小な溝が形成されている構成とした。
【００１１】
本発明（請求項６）の金属クリップ着脱具は、板状の部材の先端の幅が若干狭くなっている部分がゴム・シリコーン等で覆われている構成とした。
【００１２】
本発明（請求項７）の金属クリップ着脱具は、板状の部材の先端の幅が若干狭くなっている部分の先端が湾曲している構成とした。
【発明の効果】
【００１３】
本発明の金属クリップ着脱具を使用すれば、図１又は図２のような金属クリップを容易に着脱することができる。
【図面の簡単な説明】
【００１４】
【図１】摘み部がないダブルクリップの斜視図
【図２】金属線材のみでできている摘み部がないクリップの斜視図
【図３】本発明（請求項１）の金属クリップ着脱具の実施例の斜視図
【図４】本発明（請求項１）の金属クリップ着脱具の実施例の使用時の斜視図
【図５】本発明（請求項２）の金属クリップ着脱具の実施例の側面図
【図６】本発明（請求項２）の金属クリップ着脱具の実施例の使用時の側面図
【図７】本発明（請求項３）の金属クリップ着脱具の実施例の側面図
【図８】本発明（請求項３）の金属クリップ着脱具の実施例の板状の部材を展開した状態の側面図
【図９】本発明（請求項３）の金属クリップ着脱具の実施例の使用時の側面図
【図１０】本発明（請求項４）の金属クリップ着脱具の側面図
【図１１】本発明（請求項４）の金属クリップ着脱具の弾性素材を展開したときの側面図
【図１２】本発明（請求項５）の金属クリップ着脱具の板状の場材の先端部の斜視図
【図１３】本発明（請求項６）の金属クリップ着脱具の板状の場材の先端部の斜視図
【図１４】本発明（請求項７）の金属クリップ着脱具の板状の場材の先端部の斜視図
【発明を実施するための形態】
【００１５】
発明を実施するための形態は、図３から図１４までのとおりである。
【００１６】
金属クリップに開口部が設けられている場合は、本発明の金属クリップ着脱具を使用するときには、２つの先端部１２ａを金属クリップの２つの開口部１０ａにそれぞれ挿入し、２つの摘み部１２の弾性素材部１１に近い部分を指先で上下から押圧して金属クリップの先端部を拡開する。
【００１７】
金属クリップの挟持部に開口部が形成される場合は、本発明の金属クリップ着脱具を使用するときには、２つの先端部１２ａを金属クリップの開口部１０ｂに挿入し、２つの摘み部１２の弾性素材部１１に近い部分を指先で上下から押圧して金属クリップの先端部を拡開する。
【００１８】
先端部１２ａだけが開口部１０ａ又は１０ｂに挿入できるように摘み部１２の幅と先端部１２ａの幅を設定する。
【００１９】
先端部１２ａに溝を設けたり、先端部１２ａをゴム・シリコーン等で覆ったり、あるいは、先端部１２ａの先端を外側に湾曲させると、作業中に不用意に先端部１２ａが開口部１０ａ又は１０ｂから外れることを防ぐことができる。
【符号の説明】
【００２０】
１    摘み部がないダブルクリップ
２    金属線材のみでできている摘み部がないクリップ
３    請求項１の金属クリップ着脱具
４    請求項２の金属クリップ着脱具
５    請求項３の金属クリップ着脱具
６    請求項４の金属クリップ着脱具
１０ａ    金属クリップに設けられた開口部
１０ｂ    金属クリップの挟持部に形成された開口部
１１    弾性素材部
１２    摘み部
１２ａ    先端部
１２ｂ    溝形成部
１２ｃ    ゴム・シリコーン等被覆部
１２ｄ    湾曲部
１３    固着部
１４    弾性素材部−摘み部繋止部
１５    弾性素材部−弾性素材部繋止部
【図１】
2015071307.tif 000003
【図２】
2015071307.tif 000004
【図３】
2015071307.tif 000005
【図４】
2015071307.tif 000006
【図５】
2015071307.tif 000007
【図６】
2015071307.tif 000008
【図７】
2015071307.tif 000009
【図８】
2015071307.tif 000010
【図９】
2015071307.tif 000011
【図１０】
2015071307.tif 000012
【図１１】
2015071307.tif 000013
【図１２】
2015071307.tif 000014
【図１３】
2015071307.tif 000015
【図１４】
2015071307.tif 000016